【手続補正書】
【提出日】平成19年4月25日(2007.4.25)
【手続補正１】
【補正対象書類名】特許請求の範囲
【補正対象項目名】全文
【補正方法】変更
【補正の内容】
【特許請求の範囲】
【請求項１】
入力信号を供給する第１の信号路と、
電圧を供給する第１の電源路と、
上記第１の信号路を介して上記入力信号が供給され、上記電源路を介して上記電圧が供給されると共に、外部機器に上記電圧が重畳された上記入力信号を送信するコネクタと、
上記第１の電源路に挿入された第１の電源スイッチと、
上記コネクタにおける上記電圧が重畳された上記入力信号の振幅を検出する振幅検出器と、
上記振幅検出器の検出出力に基づいて、少なくとも、上記コネクタに上記外部機器が接続されていない第１の状態および上記コネクタに上記外部機器が接続されている第２の状態のいずれの接続状態にあるかを判定し、該接続状態に応じて、上記第１の電源スイッチをオンとオフとに切り換える制御部と
を備えることを特徴とする電子機器。
【請求項２】
上記制御部は、上記接続状態が上記第１の状態にあると判定するとき、上記第１の電源スイッチをオフとする
ことを特徴とする請求項１に記載の電子機器。
【請求項３】
上記制御部は、上記接続状態が上記第２の状態にあると判定するとき、上記第１の電源スイッチをオンとする
ことを特徴とする請求項１に記載の電子機器。
【請求項４】
上記制御部は、さらに、上記コネクタが短絡されている第３の状態にあるか否かを判定し、上記第３の状態にあると判定するとき、上記第１の電源スイッチをオフとする
ことを特徴とする請求項１に記載の電子機器。
【請求項５】
上記制御部は、さらに、上記コネクタが短絡されている第３の状態にあるか否かを判定し、上記第３の状態にあると判定するとき、短絡異常の警告を報知するように報知部を制御する
ことを特徴とする請求項１に記載の電子機器。
【請求項６】
上記電子機器は、さらに、
入力信号を供給する第２の信号路と、
電圧を供給する第２の電源路と、
上記第２の電源路に挿入された第２の電源スイッチと、
上記第２の電源路を介して供給される上記電圧を電源とし、上記入力信号に対応する出力信号を送信する信号送信部とを備え、
上記制御部は、上記接続状態に応じて、上記第２の電源スイッチを切り換える
ことを特徴とする請求項１に記載の電子機器。
【請求項７】
上記信号送信部は無線で上記出力信号の送信が可能である
ことを特徴とする請求項６に記載の電子機器。
【請求項８】
上記制御部は、上記接続状態が上記第１の状態にあると判定するとき、上記第１の電源スイッチをオフとし、上記第２の電源スイッチをオンとする
ことを特徴とする請求項６に記載の電子機器。
【請求項９】
上記制御部は、上記接続状態が上記第２の状態にあると判定するとき、上記第１の電源スイッチをオンとし、上記第２の電源スイッチをオフとする
ことを特徴とする請求項６に記載の電子機器。
【請求項１０】
上記制御部は、さらに、上記コネクタが短絡されている第３の状態にあるか否かを判定し、上記第３の状態にあると判定するとき、上記第１の電源スイッチをオフとし、上記第２の電源スイッチを短絡前の状態で保持する
ことを特徴とする請求項６に記載の電子機器。
【請求項１１】
送信装置と送信ユニットからなる送信システムにおいて、
上記送信装置は、
入力信号を供給する第１の信号路と、
電圧を供給する第１の電源路と、
上記第１の信号路より上記入力信号が供給され、上記第１の電源路を介して上記電圧が供給されるコネクタと、
上記第１の電源路に挿入された第１の電源スイッチと、
上記コネクタにおける信号の振幅を検出する振幅検出器と、
上記振幅検出器の検出出力に基づいて、少なくとも、上記コネクタに上記送信ユニットが接続されていない第１の状態および上記コネクタに上記送信ユニットが接続されている第２の状態のいずれの接続状態にあるかを判定し、該接続状態に応じて、上記第１の電源スイッチをオンとオフとに切り換える制御部とを備え、
上記送信ユニットは、
上記電圧が重畳された上記入力信号を上記送信装置の上記コネクタより受け取り、上記入力信号に対応する出力信号を送信する第１の信号送信部を備える
ことを特徴とする送信システム。
【請求項１２】
上記制御部は、上記接続状態が上記第１の状態にあると判定するとき、上記第１の電源スイッチをオフとする
ことを特徴とする請求項１１に記載の送信システム。
【請求項１３】
上記制御部は、上記接続状態が上記第２の状態にあると判定するとき、上記第１の電源スイッチをオンとする
ことを特徴とする請求項１１に記載の送信システム。
【請求項１４】
上記制御部は、さらに、上記コネクタが短絡されている第３の状態にあるか否かを判定し、上記第３の状態にあると判定するとき、上記第１の電源スイッチをオフとする
ことを特徴とする請求項１１に記載の送信システム。
【請求項１５】
上記制御部は、さらに、上記コネクタが短絡されている第３の状態にあるか否かを判定し、上記第３の状態にあると判定するとき、短絡異常の警告を報知するように報知部を制御する
ことを特徴とする請求項１１に記載の送信システム。
【請求項１６】
上記送信装置は、さらに、
入力信号を供給する第２の信号路と、
電圧を供給する第２の電源路と、
上記第２の電源路に挿入された第２の電源スイッチと、
上記第２の電源路を介して供給される上記電圧を電源とし、上記入力信号に対応する出力信号を送信する第２の信号送信部とを備え、
上記制御部は、上記接続状態に応じて、さらに、上記第２の電源スイッチを切り換える
ことを特徴とする請求項１１に記載の送信装置。
【請求項１７】
上記第１の信号送信部及び上記第２の信号送信部は無線で上記出力信号の送信が可能である
ことを特徴とする請求項１６に記載の送信システム。
【請求項１８】
上記制御部は、上記接続状態が上記第１の状態にあると判定するとき、上記第１の電源スイッチをオフとし、上記第２の電源スイッチをオンとする
ことを特徴とする請求項１６に記載の送信システム。
【請求項１９】
上記制御部は、上記接続状態が上記第２の状態にあると判定するとき、上記第１の電源スイッチをオンとし、上記第２の電源スイッチをオフとする
ことを特徴とする請求項１６に記載の送信システム。
【請求項２０】
上記制御部は、さらに、上記コネクタが短絡されている第３の状態にあるか否かを判定し、上記第３の状態にあると判定するとき、上記第１の電源スイッチをオフとし、上記第２の電源スイッチを短絡前の状態に保持する
ことを特徴とする請求項１６に記載の送信システム。
【請求項２１】
電圧の重畳させた入力信号を電子機器のコネクタを介して外部機器に供給する電子機器において、該コネクタと該外部機器の接続状態を判定する接続状態判定方法であって、
コネクタにおける上記電圧の重畳させた入力信号の振幅を検出する検出ステップと、
上記検出ステップで検出された上記振幅に基づいて、少なくとも、外部機器がコネクタに接続されていない第１の状態と外部機器がコネクタに接続されている第２の状態のいずれの接続状態であるかを判定する判定ステップと、
を有する接続状態判定方法。
【請求項２２】
上記判定ステップにより上記第１の状態にあると判定されたとき、上記コネクタに電圧を供給しないように制御する電圧制御ステップ
をさらに有する請求項２１に記載の接続状態判定方法。
【請求項２３】
上記判定ステップにより上記第２の状態にあると判定されたとき、上記コネクタに電圧を供給するように制御する電圧制御ステップ
をさらに有する請求項２１に記載の接続状態判定方法。
【請求項２４】
上記判定ステップは、さらに、上記コネクタが短絡されている第３の状態にあるか否かを判定し、
上記判定ステップにより上記第３の状態にあると判定されたとき、上記コネクタに電圧を供給しないように制御する電圧制御ステップ
をさらに有する請求項２１に記載の接続状態判定方法。
【請求項２５】
上記判定ステップは、さらに、上記コネクタが短絡されている第３の状態にあるか否かを判定し、
上記判定ステップにより上記第３の状態にあると判定されたとき、短絡異常の警告を報知する異常報知ステップ
をさらに有する請求項２１に記載の接続状態判定方法。
【請求項２６】
上記判定ステップにより上記第１の状態にあると判定されたとき、上記入力信号に対応する出力信号を上記電子機器の第２の信号送信部から出力する出力ステップ
をさらに有する請求項２１に記載の接続状態判定方法。
【請求項２７】
上記判定ステップにより上記第２の状態にあると判定されたとき、上記入力信号に対応する出力信号を上記外部機器の第１の信号送信部から出力する出力ステップ
をさらに有する請求項２１に記載の接続状態判定方法。
【手続補正２】
【補正対象書類名】明細書
【補正対象項目名】発明の名称
【補正方法】変更
【補正の内容】
【発明の名称】電子機器、送信システム及び接続状態判定方法
【手続補正３】
【補正対象書類名】明細書
【補正対象項目名】０００１
【補正方法】変更
【補正の内容】
【０００１】
この発明は、外部機器を接続するコネクタを備え、このコネクタから外部機器に電圧の重畳された信号を供給するようにした電子機器と、その外部機器や電子機器にそれぞれ信号送信部を持たせ、入力信号に対応する出力信号を信号送信部より送信する送信システムと、電子機器のコネクタと外部機器との接続状態を判定する接続状態判定方法とに関する。
【手続補正４】
【補正対象書類名】明細書
【補正対象項目名】０００２
【補正方法】変更
【補正の内容】
【０００２】
詳しくは、この発明は、コネクタにおける信号の振幅を検出し、この振幅に基づいて、少なくとも、コネクタに外部機器が接続されているかいないかを判定する。さらに、接続状態に応じてコネクタに電圧を出力するかしないかを制御する。従って、外部機器の未接続時に、コネクタの短絡によって短絡保護回路の動作、ＲＦ遮断インダクタの焼損、プリント基板パターンの焼損等の破壊故障が発生することを回避するようにした電子機器等に係るものである。
【手続補正５】
【補正対象書類名】明細書
【補正対象項目名】００１２
【補正方法】変更
【補正の内容】
【００１２】
レギュレータ２０２で得られる安定化された電源直流電圧ＤＣ２は、赤外線光送信部２０１に電源として供給される。また、変調回路で得られる変調ＲＦ信号ＭＲＦはアンプ２０５で増幅された後にトランジスタ２０４(1)〜２０４(m)のベースにドライブ信号として供給される。これにより、ダイオード２０３(1,1)〜２０３(n,m)は変調ＲＦ信号ＭＲＦに対応して発光し、赤外線光送信部２０１から変調ＲＦ信号ＭＲＦに対応した赤外線信号ＳＩＲが出力される。
【手続補正６】
【補正対象書類名】明細書
【補正対象項目名】００１９
【補正方法】変更
【補正の内容】
【００１９】
また、直流遮断コンデンサ３０７および入力抵抗３０８の互いの接続点には、変調ＲＦ信号ＭＲＦが得られる。この変調ＲＦ信号ＭＲＦはアンプ３０９で増幅された後にトランジスタ３０６(1)〜３０６(m)のベースにドライブ信号として供給される。これにより、ダイオード３０５(1,1)〜３０５(n,m)は変調ＲＦ信号ＭＲＦに対応して発光し、赤外線光送信部３０１から変調ＲＦ信号ＭＲＦに対応した赤外線信号ＳＩＲが出力される。
【手続補正７】
【補正対象書類名】明細書
【補正対象項目名】００２１
【補正方法】変更
【補正の内容】
【００２１】
この場合、赤外線光送信ユニット３００に接続ケーブル３０２が接続され、接続ケーブルの先端に接続されたコネクタ（プラグ）３０３が、赤外線光送信装置２００Ｂのコネクタ（ジャック）に接続される。このようにすることで、赤外線光送信装置２００Ｂから赤外線光送信ユニット３００に、電源直流電圧が重畳された変調ＲＦ信号が供給される。そして、赤外線光送信部３０１から変調ＲＦ信号に対応する赤外線信号ＳＩＲが出力される状態となる。
【手続補正８】
【補正対象書類名】明細書
【補正対象項目名】００３１
【補正方法】変更
【補正の内容】
【００３１】
この発明の目的は、外部機器の未接続時に、コネクタの短絡によって短絡保護回路の動作、ＲＦ遮断インダクタの焼損、プリント基板パターンの焼損等の破壊故障が発生することを回避した電子機器、送信システム及び接続状態判定方法を提供することにある。
【手続補正９】
【補正対象書類名】明細書
【補正対象項目名】００３２
【補正方法】変更
【補正の内容】
【００３２】
この発明の概念は、
入力信号を供給する第１の信号路と、
電圧を供給する第１の電源路と、
上記第１の信号路を介して上記入力信号が供給され、上記電源路を介して上記電圧が供給されるコネクタと、
上記電圧が重畳された上記入力信号を上記コネクタより受け取る外部機器と、
上記第１の電源路に挿入された第１の電源スイッチと、
上記コネクタにおける信号の振幅を検出する振幅検出器と、
上記振幅検出器の検出出力に基づいて、少なくとも、上記コネクタに上記外部機器が接続されていない第１の状態および上記コネクタに上記外部機器が接続されている第２の状態のいずれの接続状態にあるかを判定し、該接続状態に応じて、上記第１の電源スイッチをオンとオフとに切り換える制御部と
を備えることを特徴とする電子機器にある。
【手続補正１０】
【補正対象書類名】明細書
【補正対象項目名】００３３
【補正方法】変更
【補正の内容】
【００３３】
この発明においては、外部機器（送信ユニット）を接続するためのコネクタが備えられている。このコネクタには、入力信号が第１の信号路を通して供給される。さらに、このコネクタには電圧が第１の電源路を通して供給される。また、この第１の電源路には第１の電源スイッチが挿入されている。
【手続補正１１】
【補正対象書類名】明細書
【補正対象項目名】００３４
【補正方法】変更
【補正の内容】
【００３４】
コネクタにおける信号の振幅が検出される。この振幅の検出出力に基づいて、少なくとも２つの接続状態のいずれにあるかが判定される。第１の状態は、コネクタに外部機器が接続されていない状態であり、第２の状態は、コネクタに外部機器が接続されている状態である。検出出力は、第１の状態では第２の状態に比べて信号の振幅が大きくなることから、この検出出力を所定のしきい値と比較することで、第１の状態にあるか第２の状態にあるかを判定できる。
【手続補正１２】
【補正対象書類名】明細書
【補正対象項目名】００３５
【補正方法】変更
【補正の内容】
【００３５】
第２の状態にあるとき、第１の電源スイッチはオンとされる。これにより、コネクタには電源直流電圧が重畳された変調ＲＦ信号が出力され、このコネクタに接続されている外部機器の第１の信号送信部から入力信号に対応した出力信号が出力される。
【手続補正１３】
【補正対象書類名】明細書
【補正対象項目名】００３６
【補正方法】変更
【補正の内容】
【００３６】
一方、第１の状態にあるとき、第１の電源スイッチはオフとされる。これにより、コネクタに電圧は出力されない。そのため、コネクタに外部機器が接続されていない状態でコネクタに短絡があっても、短絡保護回路の動作、ＲＦ遮断インダクタの焼損、プリント基板パターンの焼損等の破壊故障は発生しない。なお、短絡保護回路は、例えば電圧を得るためのレギュレータに備えられている。
【手続補正１４】
【補正対象書類名】明細書
【補正対象項目名】００３７
【補正方法】変更
【補正の内容】
【００３７】
コネクタにおける信号の振幅の検出出力に基づいて、さらに、コネクタが短絡されている第３の状態にあるか否かが判定される。第３の状態にあるとき、検出出力は０となることから、この検出出力を所定のしきい値と比較することで、第３の状態にあるか否かを判定できる。第３の状態にあるとき、第１の電源スイッチはオフとされる。これにより、コネクタに外部機器が接続されている状態でコネクタに短絡があっても、直ちにこのコネクタに電圧が出力されない状態となり、短絡保護回路の動作、ＲＦ遮断インダクタの焼損、プリント基板パターンの焼損等の破壊故障は発生しない。
【手続補正１５】
【補正対象書類名】明細書
【補正対象項目名】００３９
【補正方法】変更
【補正の内容】
【００３９】
例えば、第２の信号送信部と、この第２の信号送信部に入力信号を供給する第２の信号路と、第２の信号送信部に電圧を供給する第２の電源路と、この第２の電源路に挿入された第２の電源スイッチとをさらに備えるものにあっては、第１の状態にあるとき第２の電源スイッチはオンとされ、第２の状態にあると判定されるとき第２の電源スイッチはオフとされる。
【手続補正１６】
【補正対象書類名】明細書
【補正対象項目名】００４０
【補正方法】変更
【補正の内容】
【００４０】
これにより、コネクタに外部機器が接続されていない状態では、電子機器に内蔵の第２の信号送信部から入力信号に対応した出力信号が出力される。一方、コネクタに外部機器が接続されている状態では、この外部機器の第１の信号送信部から入力信号に対応した出力信号が出力され、電子機器に内蔵の第１の信号送信部からは信号は出力されない。これにより、外部機器の第１の信号送信部と電子機器に内蔵の第２の信号送信部との両方から同時に出力信号が出力されるという無駄な電力消費状態を回避できる。
【手続補正１７】
【補正対象書類名】明細書
【補正対象項目名】００４１
【補正方法】変更
【補正の内容】
【００４１】
この発明によれば、コネクタにおける入力信号の振幅を検出し、この振幅の検出出力に基づいて、少なくとも、コネクタに外部機器が接続されているかいないかを判定することができる。さらに、コネクタに外部機器が接続されているときは、コネクタに電圧を供給するため、外部機器の未接続時に、コネクタの短絡によって短絡保護回路の動作、ＲＦ遮断インダクタの焼損、プリント基板パターンの焼損等の破壊故障が発生することを回避できる。
【手続補正１８】
【補正対象書類名】明細書
【補正対象項目名】００５１
【補正方法】変更
【補正の内容】
【００５１】
また、ＲＦ検波器１２４の出力側はコンパレータ１２５，１２６の正入力端子に接続される。コンパレータ１２５の負入力端子には、基準電圧Ｖth1が供給される。この基準電圧Ｖth1の値は、次に挙げる２つの値の中間値に設定される。それら２つの値は、コネクタ１１１に赤外線光送信ユニットが接続されていない状態（状態Ａ）におけるＲＦ検波器１２４の出力直流電圧ＶＤの値と、コネクタ１１１に赤外線光送信ユニットが接続されている状態（状態Ｂ）におけるＲＦ検波器１２４の出力直流電圧ＶＤの値である。
【手続補正１９】
【補正対象書類名】明細書
【補正対象項目名】００５３
【補正方法】変更
【補正の内容】
【００５３】
コンパレータ１２６の負入力端子には、基準電圧Ｖth2が供給される。この基準電圧Ｖth2の値は、次に挙げる２つの値の中間値に設定される。それら２つの値は、コネクタ１１１に赤外線光送信ユニットが接続されている状態（状態Ｂ）におけるＲＦ検波器１２４の出力直流電圧ＶＤの値と、コネクタ１１１が短絡されている状態（状態Ｃ）におけるＲＦ検波器１２４の出力直流電圧ＶＤの値である。
【手続補正２０】
【補正対象書類名】明細書
【補正対象項目名】００６３
【補正方法】変更
【補正の内容】
【００６３】
また、直流遮断コンデンサ１５７および入力抵抗１５８の互いの接続点には、変調ＲＦ信号ＭＲＦが得られる。この変調ＲＦ信号ＭＲＦはアンプ１５９で増幅された後にトランジスタ１５６(1)〜１５６(m)のベースにドライブ信号として供給される。これにより、ダイオード１５５(1,1)〜１５５(n,m)は変調ＲＦ信号ＭＲＦに対応して発光し、赤外線光送信部１５１から変調ＲＦ信号ＭＲＦに対応した赤外線信号ＳＩＲが出力される。
【手続補正２１】
【補正対象書類名】明細書
【補正対象項目名】００６７
【補正方法】変更
【補正の内容】
【００６７】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれハイレベル「Ｈ」となる。システムコントローラ１２７は、コネクタ１１１に赤外線光送信ユニット１５０が接続されていない状態（状態Ａ）にあると判定し、電源スイッチ１０６をオンとし、電源スイッチ１１２をオフとする。
【手続補正２２】
【補正対象書類名】明細書
【補正対象項目名】００６８
【補正方法】変更
【補正の内容】
【００６８】
そのため、レギュレータ１０２で得られた電源直流電圧ＤＣ２は、電源スイッチ１０６を通じて赤外線光送信部１０１に電源として供給される。また、変調回路で得られる変調ＲＦ信号ＭＲＦはアンプ１０７で増幅された後にトランジスタ１０４(1)〜１０４(m)のベースにドライブ信号として供給される。これにより、ダイオード１０３(1,1)〜１０３(n,m)は変調ＲＦ信号ＭＲＦに対応して発光し、内蔵の赤外線光送信部１０１から変調ＲＦ信号ＭＲＦに対応した赤外線信号ＳＩＲが出力される。
【手続補正２３】
【補正対象書類名】明細書
【補正対象項目名】００７２
【補正方法】変更
【補正の内容】
【００７２】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５の出力ＣＭＰ１はローレベル「Ｌ」、コンパレータ１２６の出力ＣＭＰ２はハイレベル「Ｈ」となる。システムコントローラ１２７は、コネクタ１１１に赤外線光送信ユニット１５０が接続されている状態（状態Ｂ）にあると判定し、電源スイッチ１０６をオフとし、電源スイッチ１１２をオンとする。
【手続補正２４】
【補正対象書類名】明細書
【補正対象項目名】００７５
【補正方法】変更
【補正の内容】
【００７５】
なお、電源スイッチ１０６がオフとされるので、レギュレータ１０２で得られた電源直流電圧ＤＣ２は内蔵の赤外線光送信部１０１に供給されることはない。そのため、ダイオード１０３(1,1)〜１０３(n,m)は発光せず、従ってこの赤外線光送信部１０１から変調ＲＦ信号ＭＲＦに対応した赤外線信号ＳＩＲは出力されない。
【手続補正２５】
【補正対象書類名】明細書
【補正対象項目名】００７８
【補正方法】変更
【補正の内容】
【００７８】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれローレベル「Ｌ」となる。システムコントローラ１２７は、コネクタ１１１が短絡されている状態（状態Ｃ）にあると判定し、電源スイッチ１０６を短絡前の状態に保持し、電源スイッチ１１２をオフとする。
【手続補正２６】
【補正対象書類名】明細書
【補正対象項目名】００９２
【補正方法】変更
【補正の内容】
【００９２】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれハイレベル「Ｈ」となる。システムコントローラ１２７は、コネクタ１１１に赤外線光送信ユニット１５０が接続されていない状態（状態Ａ）にあると判定し、電源スイッチ１１２をオフとする。
【手続補正２７】
【補正対象書類名】明細書
【補正対象項目名】００９６
【補正方法】変更
【補正の内容】
【００９６】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５の出力ＣＭＰ１はローレベル「Ｌ」、コンパレータ１２６の出力ＣＭＰ２はハイレベル「Ｈ」となる。システムコントローラ１２７は、コネクタ１１１に赤外線光送信ユニット１５０が接続されている状態（状態Ｂ）にあると判定し、電源スイッチ１１２をオンとする。
【手続補正２８】
【補正対象書類名】明細書
【補正対象項目名】０１０１
【補正方法】変更
【補正の内容】
【０１０１】
そしてこの場合、コンパレータ１２５の基準電圧Ｖth1は（１／２）・{(Ｒo＋２Ｒi)／（Ｒo＋Ｒi）｝・ＫＧＶppに設定されており、コンパレータ１２６の基準電圧Ｖth2は（１／２）・{Ｒi／（Ｒo＋Ｒi）｝・ＫＧＶppに設定されている。そのため、コンパレータ１２５，１２６の出力ＣＭＰ１，ＣＭＰ２はそれぞれローレベル「Ｌ」となる。システムコントローラ１２７は、コネクタ１１１が短絡されている状態（状態Ｃ）にあると判定し、電源スイッチ１１２をオフとする。
【手続補正２９】
【補正対象書類名】明細書
【補正対象項目名】０１０７
【補正方法】変更
【補正の内容】
【０１０７】
なお、上述実施の形態においては、短絡異常の警告をディスプレイに表示するものを示したが、その他の報知部で短絡異常をユーザに報知するものにもこの発明を同様に適用できる。例えば、スピーカからの音声出力、発光素子の発光、ブザー音の発生等によって、短絡異常を警告が報知されるようにしてもよい。